(57)【要約】【課題】異常発生を未然に防止し、早期に適切な対策や処置を講じることができる電磁誘導加熱調理器を提供する。【解決手段】トッププレート１５が過熱状態になったときのトッププレート温度異常、誘導加熱コイル１３が過熱状態になったときの加熱コイル温度異常、誘導加熱コイル１３に過電流が流れたときの過電流異常、インバータ回路１２の内部が過熱状態になったときの内部温度異常、本体部１と操作部４との間のデータ通信時の通信異常などの各事象が発生するよりも前の段階で各異常発生を予知する異常予知部３１２，３２２，３３２，３４２，３５２，４４２を設けて、この異常予知部で予知される異常予知情報を記憶回路４５２に記憶するとともに、その情報を表示器４２に表示する。【選択図】図２
2008204681.tif 000002
【特許請求の範囲】
【請求項１】
電磁誘導加熱調理を行う本体部と、この本体部に対して加熱調理条件などを入力する操作部とを有し、
前記本体部には、被調理物が収容される調理容器を電磁誘導により加熱する誘導加熱コイルと、前記誘導加熱コイルに高周波電流を供給するインバータ回路と、前記誘導加熱コイルに対して近接配置されるトッププレートと、前記インバータ回路から前記誘導加熱コイルへの出力周波数を制御する主制御回路とが設けられている電磁誘導加熱調理器において、
前記トッププレートが過熱状態になったときのトッププレート温度異常、前記誘導加熱コイルが過熱状態になったときの加熱コイル温度異常、前記誘導加熱コイルに過電流が流れたときの過電流異常、前記インバータ回路の内部が過熱状態になったときの内部温度異常、前記本体部と前記操作部との間のデータ通信時の通信異常の内の少なくとも一つの異常が生じたときにはその異常発生を検知する異常検知手段と、
前記異常検知手段で異常発生が検知されるよりも以前の段階で各異常発生を予知する異常予知手段と、
前記異常検知手段で検知された異常情報および前記異常予知手段で予知される異常予知情報をそれぞれ記憶する記憶手段と、
前記記憶手段に記憶されている各情報を表示する表示手段と、を備えることを特徴とする電磁誘導加熱調理器。
【請求項２】
前記記憶手段には、前記異常情報および前記異常予知情報に対応付けて発生日時が記憶されていることを特徴とする請求項１に記載の電磁誘導加熱調理器。
【請求項３】
前記記憶手段には、前記異常情報および前記異常予知情報が具体的な数値により記憶されていることを特徴とする請求項１または請求項２に記載の電磁誘導加熱調理器。
【発明の詳細な説明】
【技術分野】
【０００１】
本発明は、インバータ回路から誘導加熱コイルに高周波電流を供給して被調理物が収容される調理容器を電磁誘導により加熱する電磁誘導加熱調理器に関する。
【背景技術】
【０００２】
従来、この種の電磁誘導加熱調理器では、例えばユーザの当該機器に対する取り扱いが不適切で何らかの異常が発生したときには、その異常内容を示す異常情報を表示器に表示することにより、ユーザに注意を促して現時点での異常内容を確認できるようにしている。
【０００３】
しかしながら、従来の電磁誘導加熱調理器では、異常発生時の異常情報を時系列的に記憶する機能が設けられていなかったので、ユーザが異常発生の際に適切な処置を講じなかったような場合、ユーザ側やメーカ側において、その後に異常内容を再確認することができなかった。このため、例えば電磁誘導加熱調理器のユーザ側やメーカ側で、過去に生じた異常内容を確認して異常発生要因を取り除く処置や対策を適切に講じることが困難であった。
【０００４】
そこで、本願発明者らは、上記に鑑み、異常が発生したときには、その発生順に異常情報が時系列で記憶できるようにするとともに、所定のスイッチ操作によってその記憶した異常情報を最新のものから過去に溯って順次表示できるようにして、ユーザ側やメーカ側で、過去に生じた異常内容を確認して異常発生原因を取り除くための処置や対策を容易に講じることができる電磁誘導加熱調理器を提案している（例えば、特許文献１参照）。
【０００５】
【特許文献１】特開２００４−３３５２６６号公報
【発明の開示】
【発明が解決しようとする課題】
【０００６】
このように、上記の特許文献１記載の従来技術では、異常発生後においてどのような異常が発生したのかを時系列的に表示して確認することができるので、容易に対策や処置を講じることができる利点があるものの、本願発明者らは、未だ次の点で検討の余地があることを見い出した。
【０００７】
すなわち、従来技術では、あくまで異常が発生した後にその異常内容を示す異常情報を記憶するため、その異常発生を回避するための対策や処置も実際に異常が発生した後に行うことになる。つまり、従来はあくまでも異常発生に対する事後処理のための技術であって、異常発生を未然に防止するものではない。このため、一旦異常が発生したときには、安全上、インバータ回路の動作が強制的に停止されるので、調理中の料理が生煮えになるなど、料理が完全に仕上がらないといった不都合を生じる。
【０００８】
しかも、異常発生後に対策や処置を講じることになるため、メンテナンスの手間や時間が多くかかったり、異常発生により故障箇所が他の部品にまで波及して部品交換箇所が多くなって余分なコストがかかるといった不具合を生じることがある。
【０００９】
本発明は、上記の課題を解決するためになされたもので、異常発生に至るまでに異常発生の恐れがある箇所を特定できるようにして、異常発生を未然に防止し、早期に適切な対策や処置を講じることができる電磁誘導加熱調理器を提供することを目的とする。
【課題を解決するための手段】
【００１０】
本発明は、電磁誘導加熱調理を行う本体部と、この本体部に対して加熱調理条件などを入力する操作部とを有し、前記本体部には、被調理物が収容される調理容器を電磁誘導により加熱する誘導加熱コイルと、前記誘導加熱コイルに高周波電流を供給するインバータ回路と、前記誘導加熱コイルに対して近接配置されるトッププレートと、前記インバータ回路から前記誘導加熱コイルへの出力周波数を制御する主制御回路とが設けられている電磁誘導加熱調理器を前提として、次の構成を採用している。
【００１１】
すなわち、請求項１記載の発明に係る電磁誘導加熱調理器は、前記トッププレートが過熱状態になったときのトッププレート温度異常、前記誘導加熱コイルが過熱状態になったときの加熱コイル温度異常、前記誘導加熱コイルに過電流が流れたときの過電流異常、前記インバータ回路の内部が過熱状態になったときの内部温度異常、前記本体部と前記操作部との間のデータ通信時の通信異常の内の少なくとも一つの異常が生じたときにはその異常発生を検知する異常検知手段と、この異常検知手段で異常発生が検知されるよりも以前の段階で各異常発生を予知する異常予知手段と、前記異常検知手段で検知された異常情報および前記異常予知手段で予知される異常予知情報をそれぞれ記憶する記憶手段と、この記憶手段に記憶されている各情報を表示する表示手段と、を備えることを特徴としている。
【００１２】
請求項２記載の発明に係る電磁誘導加熱調理器は、請求項１記載の発明の構成において、前記記憶手段には、前記異常情報および前記異常予知情報に対応付けて発生日時が記憶されていることを特徴としている。
【００１３】
請求項３記載の発明に係る電磁誘導加熱調理器は、請求項１または請求項２記載の発明の構成において、前記データ記憶手段には、前記異常情報および前記異常予知情報が具体的な数値により記憶されていることを特徴としている。
【発明の効果】
【００１４】
請求項１記載の発明によれば、記憶手段には異常検知手段で検知された異常情報および異常予知手段で予知される異常予知情報が記憶されるので、それらの情報を記憶手段から読み出して表示手段に表示すれば、どのような異常がどの日時に発生したのかを確認できるだけでなく、予め異常発生の危険性のある事象を容易に特定することができる。このため、異常発生後に適切な処置を講じることができるのみならず、異常が実際に発生するよりも前の段階で早期に適切な対策や処置を講じることができる。これにより、従来に比べてメンテナンスの手間や時間を削減することができるとともに、異常発生により故障箇所が他の部品にまで波及するのを防止することができて修理費等のコスト削減を図ることが可能となる。
【００１５】
請求項２記載の発明によれば、請求項１記載の発明の効果に加えて、記憶手段には異常情報および異常予知情報に対応付けてその発生日時が記憶されているので、異常発生やその危険性を起こす原因をさらに特定することができ、適切な対策方法を検討することができる。
【００１６】
請求項３記載の発明によれば、請求項１または請求項２に記載の発明の効果に加えて、記憶手段には異常情報および異常予知情報が具体的な数値により記憶されているので、特にこの異常予知情報を数値で見れば、現在の状況が異常発生に至るまでの間のどの程度の段階にあるのかが直ちに分かる。そのため、緊急に予防対策を講じるべきか否かといった判断を的確に行うことができ、また、対策後はその効果を確認することができる。
【発明を実施するための最良の形態】
【００１７】
以下、本発明の電磁誘導加熱調理器の実施の形態について、図面を参照して詳細に説明する。
【００１８】
図１は本発明の実施の形態における電磁誘導加熱調理器の電気的な構成図、図２はこの電磁誘導加熱調理器の本体部と操作部の要部構成を取り出して示すブロック図である。
【００１９】
この実施の形態の電磁誘導加熱調理器は、電磁誘導加熱調理を行う本体部１と、この本体部１に対して加熱調理条件などを入力する操作部４とを有し、両部１，４が通信ケーブル６を介して互いに接続されている。
【００２０】
上記の本体部１において、整流回路１１は、三相交流電源の出力を整流して直流電圧に変換するものであり、また、平滑コンデンサＣ１は、この整流回路１１の出力電圧を平滑化するものである。インバータ回路１２は、ＭＯＳＦＥＴやＩＧＴＢ等の２つのスイッチング素子ＴＲ１，ＴＲ２を縦列接続してハーフブリッジ型のインバータが構成されている。誘導加熱コイル１３には２つの共振コンデンサＣ２，Ｃ３が接続されて共振回路が形成されている。そして、誘導加熱コイル１３の上部には、これに近接して鍋等の調理容器１４が載置されるトッププレート１５が配置されている。
【００２１】
入力電流検出器ＣＴ１は、インバータ回路１２に対する入力電流を検出するものであり、また、入力電圧検出器ＰＴは、インバータ回路１２に対する入力電圧を検出するものである。電力演算回路１６は、上記の両検出回路ＣＴ１，ＰＴからそれぞれ出力される電流検出信号と電圧検出信号に基づいてインバータ回路１２に対する入力電力を算出するものである。電力設定回路１７は、予め基準となる電力値を設定するものであり、また、差動増幅回路１８は、電力設定回路１７で設定された電力値と電力演算回路１６で算出された電力値との差分を増幅して差動増幅信号を出力するものである。
【００２２】
主制御回路１９は、差動増幅回路１８から出力される差動増幅信号の値に応じた駆動制御信号を後述のインバータ駆動回路２０に出力するもので、差動増幅信号の値が大きいときには駆動制御信号の値が小さくなるように、逆に、差動増幅信号の値が小さいときには駆動制御信号の値が大きくなるように制御を行う。さらに、主制御回路１９は、後述の判別回路２２から与えられる動作停止信号に応じてインバータ駆動回路２０の動作を停止するようになっている。
【００２３】
インバータ駆動回路２０は、主制御回路１９からの駆動制御信号の値に応じてインバータ回路１２の各スイッチング素子ＴＲ１，ＴＲ２を交互に駆動する駆動信号を出力するもので、この駆動信号としては、例えば、パルス幅の比率が一定で、パルス周波数が変調された、いわゆるＰＦＭ変調が適用される。そして、インバータ駆動回路２０は、駆動制御信号の値が小さいときには、ＰＦＭ変調された駆動信号の周波数を高くして共振回路のインピーダンスを大きくして誘導加熱コイル１３に流れる電流を小さくする。逆に、駆動制御信号の値が大きいときには、ＰＦＭ変調された駆動信号の周波数を低くして共振回路のインピーダンスを小さくして誘導加熱コイル１３に流れる電流を大きくする。
【００２４】
上記のトッププレート１５に近接して当該プレートの温度を検出する第１の温度センサＴＨ１が、また、誘導加熱コイル１３に近接して当該コイルの温度を検出する第２の温度センサＴＨ２が、さらに、インバータ回路１２に近接して当該回路内部の温度を検出する第３の温度センサＴＨ３が、それぞれ配置されている。さらに、インバータ回路１２と誘導加熱コイル１３とを接続する給電線の途中には、誘導加熱コイル１３に対する入力電流を検出するコイル電流検出器ＣＴ２が配置されている。
【００２５】
欠相検出器２１は、三相交流電源のＵ、Ｖ、Ｗの各相の入力電圧を逐次監視して各相の内の一相でも断線している場合に欠相検出信号を出力するものである。通信回路２３は、操作部４との間で通信ケーブル６を介して通信を行う。
【００２６】
判別回路２２は、図２に示すように、トッププレート異常判定部３１１とトッププレート異常予知部３１２、加熱コイル温度異常判定部３２１と加熱コイル温度異常予知部３２２、過電流異常判定部３３１と過電流異常予知部３３２、内部温度異常判定部３４１と内部温度異常予知部３４２、入力電圧異常判定部３５１と入力電圧異常予知部３５２、および欠相異常判定部３６１を備えている。
【００２７】
ここに、トッププレート異常判定部３１１は、調理容器１４の空焚き等によって第１温度センサＴＨ１で検出されるトッププレート１５の温度が異常に上昇して予め設定された閾値（例えば２２０℃）を越えた場合にトッププレート温度異常として判定してトッププレート温度異常信号を出力する。また、トッププレート異常予知部３１２は、第１温度センサＴＨ１で検出されるトッププレート１５の温度が予め設定された閾値（例えば２１０℃）に達した場合にトッププレートの温度異常が発生する危険性があると判定してトッププレート温度異常予知信号を出力する。
【００２８】
加熱コイル温度異常判定部３２１は、インバータ回路１２の制御不良などによって誘導加熱コイル１３に高周波電流が異常に流れて第２温度センサＴＨ２で検出される温度が予め設定された閾値（例えば１８０℃）を越えた場合に温度異常として判定して加熱コイル温度異常信号を出力する。また、加熱コイル温度異常予知部３２２は、第２温度センサＴＨ２で検出される誘導加熱コイル１３の温度が予め設定された閾値（例えば１７０℃）に達した場合に誘導加熱コイル１３に温度異常が発生する危険性があると判定して加熱コイル温度異常予知信号を出力する。
【００２９】
過電流異常判定部３３１は、調理容器１４を過剰に振動させるなどして誘導加熱コイル１３に高周波電流が異常に流れてコイル電流検出器ＣＴ２で検出されるコイル電流が予め設定された閾値（例えば１６０Ａ）を越えた場合に過電流異常として判定して過電流異常信号を出力する。また、過電流異常予知部３３２は、コイル電流検出器ＣＴ２で検出されるコイル電流が予め設定された閾値（例えば１５０Ａ）に達した場合に過電流異常が発生する危険性があると判定して過電流異常予知信号を出力する。
【００３０】
内部温度異常判定部３４１は、冷風吸い込み口の詰まりや冷却ファンの故障停止などによって、第３温度センサＴＨ３で検出されるインバータ回路１２を構成するユニットの内部温度が予め設定された閾値（例えば１１０℃）を越えた場合に内部温度異常として判定して内部温度異常信号を出力する。また、内部温度異常予知部３４２は、第３温度センサＴＨ３で検出されるインバータ回路１２を構成するユニットの内部温度が予め設定された閾値（例えば１００℃）に達した場合に内部温度異常が発生する危険性があると判定して内部温度異常予知信号を出力する。
【００３１】
入力電圧異常判定部３５１は、交流電源の電圧変動等によって入力電圧検出器ＰＴで検出されるインバータ回路１２に対する入力電圧が予め設定された閾値（例えば２８０Ｖ）を越えた場合に入力電圧異常として判定して入力電圧異常信号を出力する。また、入力電圧異常予知部３５２は、入力電圧検出器ＰＴで検出されるインバータ回路１２に対する入力電圧が予め設定された閾値（例えば２７０Ｖ）に達した場合に入力電圧異常が発生する危険性があると判定して入力電圧異常予知信号を出力する。
【００３２】
欠相異常判定部３６１は、欠相検出器２１から欠相検出信号が出力された場合には、三相交流電源のＵ、Ｖ、Ｗの各相のいずれかが欠相しているものと判定して欠相異常信号を出力する。
【００３３】
そして、判別回路２２は、各異常判定部３１１，３２１，３３１，３４１，３５１，３６１によって異常が判定されて異常信号が出力されるときには、その異常信号を通信回路２３および通信ケーブル６を介して操作部４に送信するとともに、主制御回路１９に対してインバータ回路１２の動作停止信号を出力する。また、判別回路２２は、各異常予知部３１２，３２２，３３２，３４２，３５２によって異常発生の危険性が予知されて異常予知信号が出力されるときには、その異常予知信号を操作部４に送信するが、主制御回路１９に対しては動作停止信号を出力しないように構成されている。
【００３４】
一方、操作部４は、タッチパネル等を有する操作回路４１、ＬＣＤ等の表示器４２、通信回路４３、通信判別回路４４、および信号処理回路４５を備えている。
【００３５】
通信回路４３は、本体部１との間で通信を行うもので、本体部１から通信ケーブル６を介して送られてくる信号に対して例えばパリティチェックやサムチェック等のエラー検出を行ない、ノイズ混入等で信号復調ができないときにはリトライ（再送信要求）を行う。
【００３６】
また、通信判別回路４４は、図２に示すように、通信異常判定部４４１と通信異常予知部４４２とを備える。通信異常判定部４４１は、通信回路４３のリトライ回数をカウントし、そのカウント値が予め設定された閾値（例えば１００回）を越えた場合に通信異常と判定して通信異常信号を次段の信号処理回路４５に出力する。また、通信異常予知部４４２は、通信回路４３のリトライ回数をカウントし、そのカウント値が予め設定された閾値（例えば８０回）に達した場合に通信異常が発生する危険性があると判定して通信異常予知信号を次段の信号処理回路４５に出力する。
【００３７】
信号処理回路４５は、タイマ回路４５１、記憶回路４５２、および呼出回路４５３を有する。ここに、タイマ回路４５１は、現在の日時を順次計時して時刻情報として出力するものである。記憶回路４５２は、特許請求の範囲の記憶手段に対応するもので、本体部１の判別回路２２から通信ケーブル６を介して送信されてくる異常信号や異常予知信号を、各信号に時刻情報を付加して順次時系列に記憶するものである。また、呼出回路４５３は、操作回路４１からの指示に基づいて記憶回路４５２に記憶されている各信号を呼び出す指令信号を出力するものである。
【００３８】
そして、本体部１と操作部４の各異常判定部３１１，３２１，３３１，３４１，３５１，３６１，４４１が特許請求の範囲における異常検知手段に対応し、また、本体部１と操作部４の各異常予知部３１２，３２２，３３２，３４２，３５２，４４２が特許請求の範囲における異常予知手段に対応している。
【００３９】
次に、上記構成を有する電磁誘導加熱調理器における異常検知動作および異常予知動作について説明する。
【００４０】
トッププレート異常判定部３１１は、第１温度センサＴＨ１で検出されるトッププレート１５の温度が予め設定された閾値（例えば２２０℃）を越えた場合にはトッププレート温度異常信号を出力する。加熱コイル温度異常判定部３２１は、第２温度センサＴＨ２で検出される温度が予め設定された閾値（例えば１８０℃）を越えた場合には加熱コイル温度異常信号を出力する。過電流異常判定部３３１は、コイル電流検出器ＣＴ２で検出されるコイル電流が予め設定された閾値（例えば１６０Ａ）を越えた場合には過電流異常信号を出力する。内部温度異常判定部３４１は、第３温度センサＴＨ３で検出されるインバータ回路１２の内部温度が予め設定された閾値（例えば１１０℃）を越えた場合には内部温度異常信号を出力する。入力電圧異常判定部３５１は、入力電圧検出器ＰＴで検出されるインバータ回路１２に対する入力電圧が予め設定された閾値（例えば２８０Ｖ）を越えた場合には入力電圧異常信号を出力する。さらに、欠相異常判定部３６１は、欠相検出器２１から欠相検出信号が出力された場合には欠相異常信号を出力する。
【００４１】
本体部１の判別回路２２は、上記のようにいずれかの異常判定部３１１，３２１，３３１，３４１，３５１，３６１によって異常が判定されて異常信号が出力されたときには、主制御回路１９に対して動作停止信号を出力する。これに応じて、主制御回路１９はインバータ駆動回路２０の駆動信号の出力を停止するので、インバータ回路１２の動作も即時に停止する。さらに、判別回路２２は、その異常信号を通信回路２３および通信ケーブル６を介して操作部４に送信する。
【００４２】
また、操作部４の通信異常判定部４４１は、通信回路４３のリトライ回数をカウントし、そのカウント値が予め設定された閾値（例えば１００回）を越えた場合には通信異常として判定して通信異常信号を次段の信号処理回路４５に出力する。
【００４３】
本体部１側のいずれかの異常判定部３１１，３２１，３３１，３４１，３５１，３６１から操作部４の信号処理回路４５に送信されてきた異常信号や、通信異常判定部４４１から出力された通信異常信号は、タイマ回路４５１からの時刻情報が付加された上で記憶回路４５２に順次記憶される。さらに、これらの異常信号は、表示器４２に転送されて表示されるため、表示器４２の表示内容を見れば、どのような異常が発生したのかを確認することができる。
【００４４】
一方、トッププレート異常予知部３１２は、第１温度センサＴＨ１で検出されるトッププレート１５の温度が予め設定された閾値（例えば２１０℃）に達した場合に温度異常が発生する危険性があると判定してトッププレート温度異常予知信号を出力する。加熱コイル温度異常予知部３２２は、第２温度センサＴＨ２で検出される誘導加熱コイル１３の温度が予め設定された閾値（例えば１７０℃）に達した場合に誘導加熱コイル１３に温度異常が発生する危険性があると判定して加熱コイル温度異常予知信号を出力する。過電流異常予知部３３２は、コイル電流検出器ＣＴ２で検出されるコイル電流が予め設定された閾値（例えば１５０Ａ）に達した場合に過電流異常が発生する危険性があると判定して過電流異常予知信号を出力する。内部温度異常予知部３４２は、第３温度センサＴＨ３で検出されるインバータ回路１２の内部温度が予め設定された閾値（例えば１００℃）に達した場合に内部温度異常が発生する危険性があると判定して内部温度異常予知信号を出力する。入力電圧異常予知部３５１は、入力電圧検出器ＰＴで検出されるインバータ回路１２に対する入力電圧が予め設定された閾値（例えば２７０Ｖ）に達した場合に入力電圧異常が発生する危険性があると判定して入力電圧異常予知信号を出力する。
【００４５】
本体部１の判別回路２２は、上記のようにいずれかの異常予知部３１２，３２２，３３２，３４２，３５２によって異常発生の危険性が予知されて異常予知信号が出力されたときには、その異常予知信号を通信回路２３を介して操作部４に送信する。しかしながら、判別回路２２は、主制御回路１９に対しては動作停止信号を出力しないので、インバータ回路１２の動作は継続されて調理が続行される。
【００４６】
また、操作部４の通信異常予知部４４２は、通信回路４３のリトライ回数をカウントし、そのカウント値が予め設定された閾値（例えば８０回）に達したときに通信異常が発生する危険性があると判定して通信異常予知信号を次段の信号処理回路４５に出力する。
【００４７】
本体部１のいずれかの異常予知部３１２，３２２，３３２，３４２，３５２から操作部４に送信されてきた異常予知信号や、通信異常予知部４４２から出力された通信異常予知信号は、タイマ回路４５１からの時刻情報が付加された上で記憶回路４５２に順次記憶される。ただし、これらの異常予知信号は表示器４２には出力されず、しかも、前述のようにインバータ回路１２は停止されないため、ユーザはその事実は気付かずにそのまま調理を続行することができる。
【００４８】
ここで、例えば、サービスマンによる故障修理の際、操作回路４１のタッチパネル等が操作されて、異常信号を呼び出す指令が与えられた場合、呼出回路４５３は、この呼出指令が与えられる度にこれに応じて記憶回路４５２に記憶されている異常信号を時刻情報に基づいて最新のものから過去のものに溯って順次時系列に呼び出すので、この呼び出された信号が表示器４２に表示される。したがって、表示器４２の表示内容を見れば、どのような異常がどの日時に発生したのかを確認することができ、異常発生箇所を特定して適切な対策を講じることができる。
【００４９】
また、例えば、サービスマンによる定期点検の際、操作回路４１のタッチパネル等が操作されて、異常予知信号を呼び出す指令が与えられた場合、呼出回路４５３は、この呼出指令が与えられるたびにこれに応じて記憶回路４５２に記憶されている異常予知信号を時刻情報に基づいて最新のものから過去のものに溯って順次呼び出すので、その呼び出された信号が表示器４２に表示される。したがって、表示器４２の表示内容を見れば、どのような異常発生の危険性のある事象がどの日時に発生したのかを確認することができ、異常発生の危険性のある原因と箇所を究明して適切な対策を講じることができる。
【００５０】
例えば、トッププレート異常予知部３１２からトッププレート温度異常予知信号が出力されている場合や、加熱コイル温度異常予知部３２２から加熱コイル温度異常予知信号が出力されている場合、サービスマンは定期点検等の際に冷却ファンの吸込口のフィルタが油等で目詰まりしていないかをチェックして目詰まりを起こしていたらフィルタの交換等を行う。また、ユーザが空焚きをしていたらならば注意を喚起する。他の熱源が近くにある場合や、吸気口や排気口が塞がれている等、調理器の設置状況が不適切な場合には設置場所を変えたり、冷却ファンを追加して冷却能力を高めるといった処置を行う。
【００５１】
また、過電流異常予知部３３２から過電流異常予知信号が出力されている場合には、ユーザがアルミ製容器のように電磁調理に不適切な材料でできたものを使用していないかをチェックし、このような不適切な材料の調理容器１４を使用していたならばユーザに注意を喚起する。
【００５２】
内部温度異常予知部３４２から内部温度異常予知信号が出力されている場合には、冷却ファンの吸込口のフィルタが油等で目詰まりしていないかをチェックして目詰まりを起こしていたらフィルタの交換等を行う。また、他の熱源が近くにある場合や、吸気口や排気口が塞がれている等、調理器の設置状況が不適切な場合には設置場所を変えたり、冷却ファンを追加して冷却能力を高めるといった処置を行う。
【００５３】
入力電圧異常予知部３５２から入力電圧異常予知信号が出力されている場合には、電源電圧をテスタ等で確認して通常よりも高い電圧が入力されている場合には、ユーザに注意を喚起する。
【００５４】
さらに、通信異常予知部４４２から通信異常予知信号が出力されている場合には、電源品質をアナライザ等でチェックし、電源電圧に歪みやパルス状のノイズが混入している場合にはユーザに注意を喚起する。また、通信ケーブル６にカットコア等のノイズフィルタを設けるなどの対策を講じる。あるいは、通信ケーブル６の引き回し位置を変える等の処置を行う。また、このような危険性の発生日時も特定できるので、例えばサービスマンが現地調査を行い、ノイズ源の特定、処置を行うこともできる。
【００５５】
以上のように、本発明の電磁誘導加熱調理器は、各異常判定部３１１，３２１，３３１，３４１，３５１，４４１に加えて各異常予知部３１２，３２２，３３２，３４２，３５２，４４２を設けているので、どのような異常がどの日時に発生したのかを確認できるだけでなく、予め異常発生の危険性のある事象を容易に特定することができる。このため、異常発生後に適切な処置を講じることができるのみならず、異常が実際に発生するよりも前の段階で早期に適切な対策や処置を講じることができる。これにより、従来に比べてメンテナンスの手間や時間を削減することができるとともに、異常発生により故障箇所が他の部品にまで波及するのを防止することができて修理費等のコスト削減を図ることが可能となる。
【００５６】
また、記憶回路４５２には異常信号および異常予知信号に対応付けてその発生日時が記憶されているので、異常発生やその危険性を起こす要因をさらに特定することが容易となり、適切な対策方法を検討することができる。
【００５７】
上記の実施の形態では、判別回路２２の各異常予知部３１２，３２２，３３２，３４２，３５２，４４２において、予め予知判断のための閾値を設定し、その閾値に達した場合に異常発生の危険性があるものと判断しているが、このような閾値を設ける代わりに、各異常予知部３１２，３２２，３３２，３４２，３５２，４４２から出力される異常予知信号として、具体的な数値データを一定周期で出力して記憶回路４５２に記憶してもよい。このように、異常予知信号の内容を数値で見ることができれば、現在の状況が異常発生に至るまでの間のどの程度の段階にあるのかが直ちに分かるので、緊急に予防対策を講じるべきか否かといった判断を行うことができ、また、対策後はその効果を確認することができる。
【００５８】
一例として、通信異常予知部４４２は、通信回路４３のリトライ回数をモニタして一定周期でそのリトライ回数の数値データを出力し、その数値データを記憶回路４５２に記憶するようにすれば、例えば通信回路４３のリトライ回数が５０回に達しているときには、例えば通信ケーブル６にノイズ対策部品を追加して暫く様子を見て、その後、定期点検等を行う際に再度リトライ回数を確認し、その期間中のリトライ回数が例えば０回であれば、対策に効果があったものと判断することができる。相変わらず５０回程度のリトライ回数があれば、さらに別の対策を講じる必要があることが判断できる。
【００５９】
また、本発明は上記の実施の形態の構成に限定されるものではなく、本発明の趣旨を逸脱しない範囲内において各種の変形を加えることが可能である。
【図面の簡単な説明】
【００６０】
【図１】本発明の実施の形態における電磁誘導加熱調理器の電気的な構成図である。
【図２】本発明の電磁誘導加熱調理器の本体部と操作部の要部構成を取り出して示すブロック図である。
【符号の説明】
【００６１】
１  本体部、４  操作部、６  通信ケーブル、１２  インバータ回路、
１３  誘導加熱コイル、１４  調理容器、１５  トッププレート、１９  主制御回路、
１２  インバータ駆動回路、２１  欠相検出器、２２  判別回路、２３  通信回路、
２４  判別回路、４１  操作回路、４２  表示器、４３  通信回路、４４通信判別回路、４５  通信処理回路、３１１  トッププレート温度異常判定部、
３２１  トッププレート温度異常予知部、３３１  加熱コイル温度異常判定部、
３３２  加熱コイル温度異常予知部、３４１  内部温度異常判定部、
３４２  内部温度異常予知部、３５１  入力電圧異常判定部、
３５２  入力電圧異常予知部、３６１  欠相異常判定部、４４１  通信異常判定部、
４４２  通信異常予知部、４５  信号処理回路、４５１  タイマ回路、
４５２  記憶回路。
【図１】
2008204681.tif 000003
【図２】
2008204681.tif 000004